(57)【要約】【目的】  ベースタンクの内部に仕切板を設けることで、２種類のパチンコ玉を混在させることなく個々に貯留する構成において、パチンコ玉の圧力差によって仕切板が破損することを回避することができる島交流式玉移送装置を提供する。【解決手段】  ベースタンクＢ１の金玉貯留空間３３ａ内に貯留されている金玉の貯留量と、ベースタンクＢ１の銀玉貯留空間３３ｂ内に貯留されている銀玉の貯留量とを比較し、所定の貯留量以上の差があるときは、金玉貯留空間３３ａ内の金玉の貯留量と、銀玉貯留空間３３ｂ内の銀玉の貯留量とがほぼ同一となるように、ベースタンクＢ１の金玉貯留空間３３ａ側とベースタンクＢ２側との間で金玉をやり取りする制御を行う。これにより、金玉貯留空間３３ａ及び銀玉貯留空間３３ｂ内に貯留されるパチンコ玉の圧力によって仕切板３４が破損することを回避することができる。【選択図】        図１
2010252935.tif 000002
【特許請求の範囲】
【請求項１】
多量のパチンコ玉を貯留するベースタンクとの間でパチンコ玉のやり取りを行う主パチンコ島台と、該主パチンコ島台との間でパチンコ玉のやり取りを行う従パチンコ島台と、から構成される島台ブロックを、前記ベースタンクを挟んで複数配置し、その複数の島台ブロックの各島台ブロックにおける前記ベースタンクと主パチンコ島台と従パチンコ島台との間で相互にパチンコ玉のやり取りを行う島交流式玉移送装置が設けられた遊技場において、
該遊技場には、玉貯留空間内に第一のパチンコ玉と該第一のパチンコ玉とは異なる第二のパチンコ玉とを個々に混在しないように貯留する第一のベースタンクと複数の島台ブロックとの間でパチンコ玉のやり取りを行う第一の島交流式玉移送装置と、玉貯留空間内に前記第二のパチンコ玉を専用に貯留する第二のベースタンクと複数の島台ブロックとの間でパチンコ玉のやり取りを行う第二の島交流式玉移送装置と、が設けられ、
前記第一のベースタンクは、前記複数の島台ブロックのうち第一の島台ブロックを構成する第一の主パチンコ島台と、第二の島台ブロックを構成する第二の主パチンコ島台との間に配置されると共に、当該第一のベースタンクの玉貯留空間内には、該玉貯留空間を、前記第一の島台ブロックで使用される前記第一のパチンコ玉を貯留する第一の玉貯留空間と、前記第二の島台ブロックで使用される前記第二のパチンコ玉を貯留する第二の玉貯留空間と、に分割する仕切板が設けられ、
前記第一の主パチンコ島台は、前記第一の玉貯留空間から第一の流入樋を介して前記第一のパチンコ玉を受け入れる第一の下部タンクと、該第一の下部タンクから自島内の第一の玉揚送装置で揚送された第一のパチンコ玉を貯留する第一の上部タンクと、該第一の上部タンクに貯留された第一のパチンコ玉を自島内に設置されるパチンコ機に補給する第一の補給樋と、前記第一の上部タンクに貯留された第一のパチンコ玉を前記第一の島台ブロックを構成する第一の従パチンコ島台に供給する第一の供給樋と、前記第一の上部タンクで溢れた第一のパチンコ玉を前記第一のベースタンクの前記第一の玉貯留空間に返却する第一の返却樋と、を備え、
前記第二の主パチンコ島台は、前記第二の玉貯留空間から第二の流入樋を介して前記第二のパチンコ玉を受け入れる第二の下部タンクと、該第二の下部タンクから自島内の第二の玉揚送装置で揚送された第二のパチンコ玉を貯留する第二の上部タンクと、該第二の上部タンクに貯留された第二のパチンコ玉を自島内に設置されるパチンコ機に補給する第二の補給樋と、前記第二の上部タンクに貯留された第二のパチンコ玉を前記第二の島台ブロックを構成する第二の従パチンコ島台に供給する第二の供給樋と、前記第二の上部タンクで溢れた第二のパチンコ玉を前記第一のベースタンクの前記第二の玉貯留空間に返却する第二の返却樋と、を備え、
前記第一の島交流式玉移送装置は、前記第一のベースタンクの前記第一の玉貯留空間内に貯留されている前記第一のパチンコ玉の貯留量を検出する第一の玉貯留量検出手段と、
前記第一のベースタンクの前記第二の玉貯留空間内に貯留されている前記第二のパチンコ玉の貯留量を検出する第二の玉貯留量検出手段と、
前記第一の玉貯留量検出手段によって検出された貯留量と前記第二の玉貯留量検出手段によって検出された貯留量とを比較して、所定の貯留量以上の差があるか否かを判定する玉量比較判定手段と、
前記第一のベースタンクの前記第二の玉貯留空間を含む前記第二の島台ブロックと前記第二のベースタンクを含む前記第二の島交流式玉移送装置との間で前記第二のパチンコ玉をやり取りするための玉移送経路と、
前記玉量比較判定手段によって前記所定の貯留量以上の差があると判定されたときに、前記第一の玉貯留量検出手段が検出する貯留量と前記第二の玉貯留量検出手段が検出する貯留量とがほぼ同一となるように前記玉移送経路による前記第二のパチンコ玉のやり取りを制御する玉移送制御手段と、を備えることを特徴とする島交流式玉移送装置。
【請求項２】
前記第一のベースタンクは、前記玉貯留空間が直方体状に形成されると共に、該玉貯留空間の底面が当該ベースタンクの長手方向の両端からそれぞれ中央に向って下り傾斜して形成され、その中央傾斜底面には、前記第一の流入樋と連通する第一の樋部と前記第二の流入樋と連通する第二の樋部とが凹状に形成され、
前記仕切板は、前記第一のベースタンクの長手方向のほぼ中央に当該ベースタンクの長手方向と直交するように配置されることで、前記直方体状の玉貯留空間と前記第一の樋部と前記第二の樋部とを、前記第一の樋部が連通する前記第一の玉貯留空間と、前記第二の樋部が連通する前記第二の玉貯留空間とに左右２分割することを特徴とする請求項１記載の島交流式玉移送装置。
【発明の詳細な説明】
【技術分野】
【０００１】
本発明は、多量のパチンコ玉を貯留するベースタンクとの間でパチンコ玉のやり取りを行う主パチンコ島台と、該主パチンコ島台との間でパチンコ玉のやり取りを行う従パチンコ島台と、から構成される島台ブロックを、前記ベースタンクを挟んで複数配置し、その複数の島台ブロックの各島台ブロックにおける前記ベースタンクと主パチンコ島台と従パチンコ島台との間で相互にパチンコ玉のやり取りを行う島交流式玉移送装置が設けられた遊技場に関するものである。
【背景技術】
【０００２】
従来、複数のパチンコ島台を１つの島台ブロックとして各上部タンク間に交流樋を差し渡すことで、各パチンコ島台間でパチンコ玉のやり取りを行うようにした島交流方式という玉移送装置を設けた遊技場が知られている。このような島交流式玉移送装置においては、本出願人が先に提案した特許文献１に開示されるように、多量のパチンコ玉を貯留するベースタンクを設けると共に、ベースタンクに隣接して該ベースタンクとの間でパチンコ玉のやり取りを行う主パチンコ島台と、該主パチンコ島台との間でパチンコ玉のやり取りを行う従パチンコ島台と、から島台ブロックを構成するものがある。この構成では、主パチンコ島台又は従パチンコ島台でパチンコ玉が不足気味の場合は、ベースタンク内のパチンコ玉を主パチンコ島台乃至従パチンコ島台に供給する一方、主パチンコ島台又は従パチンコ島台でパチンコ玉が溢れ気味の場合は、主パチンコ島台又は従パチンコ島台で溢れたパチンコ玉をベースタンクに返却することで、主パチンコ島台及び従パチンコ島台に貯留されるパチンコ玉の玉量を常に過不足のない状態に維持するようになっている。
【先行技術文献】
【特許文献】
【０００３】
【特許文献１】特開２０００−４２２３５号公報（図１）
【発明の概要】
【発明が解決しようとする課題】
【０００４】
近年においては、遊技者側のニーズに応じて、貸玉料金が４円／個となる通常遊技での営業形態に加え、貸玉料金が１円／個となる遊技（俗に、「イチパチ遊技」と称されている。）での営業形態をとる遊技場が徐々に増えつつある。通常遊技及びイチパチ遊技の２種類の営業形態をとる遊技場では、各営業形態毎で異なるパチンコ玉の価値が一目で区別できるように、パチンコ玉の色を異ならせるような対策をとっている。具体的には、貸玉料金が４円／個となる通常遊技用のパチンコ島台では、金色のパチンコ玉（以下、これを金玉ともいう）を使用する一方、貸玉料金が１円／個となるイチパチ遊技用のパチンコ島台では、銀色のパチンコ玉（以下、これを銀玉ともいう）を使用する。なお、２種類の異なるパチンコ玉を使用する場合、島台単位で１種類のパチンコ玉を循環使用する構成から、１つのパチンコ島台に設置される複数のパチンコ機は、必然的に営業形態が通常遊技又はイチパチ遊技のいずれか一方に統一される。
【０００５】
ところで、上記した２種類の異なるパチンコ玉を使用することを前提として島交流式玉移送装置を採用しようとすると、２種類の異なるパチンコ玉（金玉と銀玉）が混在しないようにする必要があり、従来の島交流式玉移送装置をそのまま用いることはできない。例えば、図１３（Ａ）に示す従来の島交流式玉移送装置では、複数列設されたパチンコ島台Ｃ１〜Ｃ７のうち、各パチンコ島台Ｃ２，Ｃ３間と各パチンコ島台Ｃ６，Ｃ７間とにそれぞれベースタンクＴ１，Ｔ２を配置することで、パチンコ島台Ｃ２，Ｃ３，Ｃ６，Ｃ７をそれぞれベースタンクＴ１，Ｔ２に隣接された主パチンコ島台とする一方、ベースタンクＴ１，Ｔ２に隣接されないパチンコ島台Ｃ１，Ｃ４，Ｃ５をそれぞれ従パチンコ島台とする。そして、主パチンコ島台Ｃ２と従パチンコ島台Ｃ１とで一つの島台ブロックを構成し、同様に、主パチンコ島台Ｃ３と従パチンコ島台Ｃ４とで、主パチンコ島台Ｃ６と従パチンコ島台Ｃ５とで、それぞれ一つの島台ブロックを構成していると共に、ベースタンクＴ１と一つの島台ブロックＣ２，Ｃ１との間、ベースタンクＴ１と他の一つの島台ブロックＣ３，Ｃ４との間、ベースタンクＴ２とさらに他の一つの島台ブロックＣ６，Ｃ５との間、隣り合う島台ブロックＣ３，Ｃ４と島台ブロックＣ６，Ｃ５のうちの従パチンコ島台Ｃ４とＣ５との間、にそれぞれパチンコ玉搬送用の樋を設けることで、パチンコ玉を各パチンコ島台Ｃ１〜Ｃ７間で移送循環使用する。このように従来の島交流式玉移送装置では、すべてのパチンコ島台Ｃ１〜Ｃ７でパチンコ玉が移送循環使用されているが、これは同質のパチンコ玉を使用しているから採用できる構成である。
【０００６】
図１３（Ａ）に示す構成において、パチンコ島台Ｃ１，Ｃ２をイチパチ遊技用のパチンコ島台、言い換えれば銀玉を使用するパチンコ島台とする一方、パチンコ島台Ｃ３〜Ｃ７を通常遊技用のパチンコ島台、言い換えれば金玉を使用するパチンコ島台として上記した従来の島交流式玉移送装置をそのまま採用すると、一つの島台ブロックを構成するパチンコ島台Ｃ１，Ｃ２で使用される銀玉がベースタンクＴ１に返却される場合と、他の一つの島台ブロックを構成するパチンコ島台Ｃ３，Ｃ４で使用される金玉がベースタンクＴ１に返却される場合とが生じてしまい、ベースタンクＴ１内に金玉と銀玉とが混在してしまう。また、ベースタンクＴ２についても、ベースタンクＴ１内に混在した銀玉がパチンコ島台Ｃ３側に供給されてしまい、その後、パチンコ島台Ｃ４〜Ｃ６を介してベースタンクＴ２内に返却されることで、金玉と銀玉とが混在してしまう。
【０００７】
そこで、図１３（Ｂ）に示すように、イチパチ遊技用（銀玉コーナー）の主パチンコ島台となるパチンコ島台Ｃ２と、通常遊技用（金玉コーナー）の主パチンコ島台となるパチンコ島台Ｃ３との間に、金玉貯留専用のベースタンクＫと銀玉貯留専用のベースタンクＧとを個別に設け、各パチンコ島台Ｃ６，Ｃ７間に設けられたベースタンクＴ２を金玉貯留専用に用いることで、各ベースタンクＫ，Ｇ，Ｔ２内での金玉と銀玉との混在を回避することができる。この場合、パチンコ島台Ｃ１，Ｃ２で使用される銀玉は、必ず銀玉貯留専用のベースタンクＧに返却され、銀玉貯留専用のベースタンクＧからは、銀玉コーナーの主パチンコ島台Ｃ２にのみ供給されるようにする一方、パチンコ島台Ｃ３，Ｃ４で使用される金玉は、必ず金玉貯留専用のベースタンクＫに返却され、金玉貯留専用のベースタンクＫからは、金玉コーナーの主パチンコ島台Ｃ３にのみ供給されるようにする。
【０００８】
しかしながら、上記したような図１３（Ｂ）に示す構成では、図１３（Ａ）に示す従来（既存）の島交流式玉移送装置に対して大掛かりな改造を施す必要があり、莫大な改造費用が掛かってしまうという問題が生じる。具体的な改造内容としては、ベースタンクＴ１に換えて新たな玉搬送経路を有する２台のベースタンクＫ，Ｇを設置する必要がある。既存のベースタンクＴ１は、隣接する主パチンコ島台Ｃ２，Ｃ３にそれぞれパチンコ玉を供給するため、各パチンコ島台Ｃ２，Ｃ３に向けてパチンコ玉を搬送する樋部が底面部分に設けられているが、新たに設置するベースタンクＫ，Ｇの底面には、隣接する主パチンコ島台Ｃ２，Ｃ３の一方にのみパチンコ玉を搬送する樋部を設ける必要があり、ベースタンク自体の設計を大幅に変更しなければならない。
【０００９】
そこで、既存のベースタンクＴ１の内部に仕切板を設けることで、ベースタンクＴ１の玉貯留空間を金玉貯留用の空間（以下、これを金玉貯留空間という）と銀玉貯留用の空間（以下、これを銀玉貯留空間という）とに分割して２種類の異なるパチンコ玉を混在しないように貯留する構成が考えられる。ところが、このような構成とした場合、金玉貯留空間に貯留された金玉と銀玉貯留空間に貯留された銀玉との間で貯留量に多くの差が生じたとき、各貯留空間の間で莫大な圧力差が生じることになり、当該圧力差によって仕切板が破損してしまうという問題が生じる。
【００１０】
本発明は、上記した事情に鑑みなされたもので、その目的とするところは、ベースタンクの内部に仕切板を設けることで、２種類のパチンコ玉を混在させることなく個々に貯留する構成において、パチンコ玉の圧力差によって仕切板が破損することを回避することができる遊技場における島交流式玉移送装置を提供することにある。
【課題を解決するための手段】
【００１１】
上記した目的を達成するために、請求項１の発明においては、多量のパチンコ玉を貯留するベースタンクとの間でパチンコ玉のやり取りを行う主パチンコ島台と、該主パチンコ島台との間でパチンコ玉のやり取りを行う従パチンコ島台と、から構成される島台ブロックを、前記ベースタンクを挟んで複数配置し、その複数の島台ブロックの各島台ブロックにおける前記ベースタンクと主パチンコ島台と従パチンコ島台との間で相互にパチンコ玉のやり取りを行う島交流式玉移送装置が設けられた遊技場において、該遊技場には、玉貯留空間内に第一のパチンコ玉と該第一のパチンコ玉とは異なる第二のパチンコ玉とを個々に混在しないように貯留する第一のベースタンクと複数の島台ブロックとの間でパチンコ玉のやり取りを行う第一の島交流式玉移送装置と、玉貯留空間内に前記第二のパチンコ玉を専用に貯留する第二のベースタンクと複数の島台ブロックとの間でパチンコ玉のやり取りを行う第二の島交流式玉移送装置と、が設けられ、前記第一のベースタンクは、前記複数の島台ブロックのうち第一の島台ブロックを構成する第一の主パチンコ島台と、第二の島台ブロックを構成する第二の主パチンコ島台との間に配置されると共に、当該第一のベースタンクの玉貯留空間内には、該玉貯留空間を、前記第一の島台ブロックで使用される前記第一のパチンコ玉を貯留する第一の玉貯留空間と、前記第二の島台ブロックで使用される前記第二のパチンコ玉を貯留する第二の玉貯留空間と、に分割する仕切板が設けられ、前記第一の主パチンコ島台は、前記第一の玉貯留空間から第一の流入樋を介して前記第一のパチンコ玉を受け入れる第一の下部タンクと、該第一の下部タンクから自島内の第一の玉揚送装置で揚送された第一のパチンコ玉を貯留する第一の上部タンクと、該第一の上部タンクに貯留された第一のパチンコ玉を自島内に設置されるパチンコ機に補給する第一の補給樋と、前記第一の上部タンクに貯留された第一のパチンコ玉を前記第一の島台ブロックを構成する第一の従パチンコ島台に供給する第一の供給樋と、前記第一の上部タンクで溢れた第一のパチンコ玉を前記第一のベースタンクの前記第一の玉貯留空間に返却する第一の返却樋と、を備え、前記第二の主パチンコ島台は、前記第二の玉貯留空間から第二の流入樋を介して前記第二のパチンコ玉を受け入れる第二の下部タンクと、該第二の下部タンクから自島内の第二の玉揚送装置で揚送された第二のパチンコ玉を貯留する第二の上部タンクと、該第二の上部タンクに貯留された第二のパチンコ玉を自島内に設置されるパチンコ機に補給する第二の補給樋と、前記第二の上部タンクに貯留された第二のパチンコ玉を前記第二の島台ブロックを構成する第二の従パチンコ島台に供給する第二の供給樋と、前記第二の上部タンクで溢れた第二のパチンコ玉を前記第一のベースタンクの前記第二の玉貯留空間に返却する第二の返却樋と、を備え、前記第一の島交流式玉移送装置は、前記第一のベースタンクの前記第一の玉貯留空間内に貯留されている前記第一のパチンコ玉の貯留量を検出する第一の玉貯留量検出手段と、前記第一のベースタンクの前記第二の玉貯留空間内に貯留されている前記第二のパチンコ玉の貯留量を検出する第二の玉貯留量検出手段と、前記第一の玉貯留量検出手段によって検出された貯留量と前記第二の玉貯留量検出手段によって検出された貯留量とを比較して、所定の貯留量以上の差があるか否かを判定する玉量比較判定手段と、前記第一のベースタンクの前記第二の玉貯留空間を含む前記第二の島台ブロックと前記第二のベースタンクを含む前記第二の島交流式玉移送装置との間で前記第二のパチンコ玉をやり取りするための玉移送経路と、前記玉量比較判定手段によって前記所定の貯留量以上の差があると判定されたときに、前記第一の玉貯留量検出手段が検出する貯留量と前記第二の玉貯留量検出手段が検出する貯留量とがほぼ同一となるように前記玉移送経路による前記第二のパチンコ玉のやり取りを制御する玉移送制御手段と、を備えることを特徴とする。
【００１２】
また、請求項２の発明においては、前記第一のベースタンクは、前記玉貯留空間が直方体状に形成されると共に、該玉貯留空間の底面が当該ベースタンクの長手方向の両端からそれぞれ中央に向って下り傾斜して形成され、その中央傾斜底面には、前記第一の流入樋と連通する第一の樋部と前記第二の流入樋と連通する第二の樋部とが凹状に形成され、前記仕切板は、前記第一のベースタンクの長手方向のほぼ中央に当該ベースタンクの長手方向と直交するように配置されることで、前記直方体状の玉貯留空間と前記第一の樋部と前記第二の樋部とを、前記第一の樋部が連通する前記第一の玉貯留空間と、前記第二の樋部が連通する前記第二の玉貯留空間とに左右２分割することを特徴とする。
【発明の効果】
【００１３】
請求項１の発明においては、第一の島台ブロックを構成する第一の主パチンコ島台と、第二の島台ブロックを構成する第二の主パチンコ島台との間に配置される第一のベースタンクの玉貯留空間内に仕切板を設けることで、当該玉貯留空間を、第一の島台ブロックで使用される第一のパチンコ玉を貯留する第一の玉貯留空間と、第二の島台ブロックで使用される第二のパチンコ玉を貯留する第二の玉貯留空間とに分割する。そして、第一の玉貯留空間に貯留された第一のパチンコ玉は、第一の流入樋を介して第一の主パチンコ島台の第一の下部タンクに供給されると共に、該第一の下部タンクから第一の供給樋を介して第一の島台ブロックを構成する第一の従パチンコ島台に供給される。その後、第一の主パチンコ島台又は第一の従パチンコ島台で溢れた第一のパチンコ玉は、第一の上部タンクから第一の返却樋を介して第一のベースタンクの第一の玉貯留空間に返却される。同様に、第二の玉貯留空間に貯留された第二のパチンコ玉は、第二の流入樋を介して第二の主パチンコ島台の第二の下部タンクに供給されると共に、該第二の下部タンクから第二の供給樋を介して第二の島台ブロックを構成する第二の従パチンコ島台に供給される。その後、第二の主パチンコ島台又は第二の従パチンコ島台で溢れた第二のパチンコ玉は、第二の上部タンクから第二の返却樋を介して第一のベースタンクの第二の玉貯留空間に返却される。これにより、既存の島交流式玉移送装置に対して大掛かりな改造を施すことなく、既存のベースタンク（第一のベースタンク）に仕切板を設けるという簡単な改造を施すだけで、２種類のパチンコ玉を混在させることなく個々に循環使用する島交流式玉移送装置を低コストで実現できる。
【００１４】
また、請求項１に係る発明の構成によれば、第一のベースタンクの第一の玉貯留空間内に貯留されている第一のパチンコ玉の貯留量と、第一のベースタンクの第二の玉貯留空間内に貯留されている第二のパチンコ玉の貯留量とを比較する。そして、パチンコ玉の圧力が仕切板にかかると当該仕切板が破損する虞のある所定の貯留量以上の差があるときは、第一の玉貯留空間内の第一のパチンコ玉の貯留量と、第二の玉貯留空間内の第二のパチンコ玉の貯留量とがほぼ同一となるように、第一のベースタンクの第二の玉貯留空間を含む前記第二の島台ブロックと第二のベースタンクを含む前記第二の島交流式玉移送装置との間で第二のパチンコ玉をやり取りする制御を行う。これにより、第一の玉貯留空間に貯留された第一のパチンコ玉が仕切板を押圧する圧力と、第二の玉貯留空間に貯留された第二のパチンコ玉が仕切板を押圧する圧力とをほぼ同等にして、第一及び第二の玉貯留空間の間で殆ど圧力差が生じないようにすることができる。また、パチンコ玉の圧力が仕切板にかかっても当該仕切板が破損することのない程度の量に所定の貯留量を設定している。従って、第一及び第二の玉貯留空間内に貯留されるパチンコ玉の圧力によって仕切板が破損することを回避することができる。
【００１５】
また、請求項２の発明においては、長手方向の両端からそれぞれ中央に向って下り傾斜する底面を有して直方体状の玉貯留空間が形成された第一のベースタンクに対して、第一のベースタンクの長手方向のほぼ中央に当該ベースタンクの長手方向と直交するように仕切板を取り付ける。そして、第一のベースタンクの中央傾斜底面に凹状に形成された第一及び第二の樋部が個々に連通する第一の玉貯留空間と第二の玉貯留空間とに左右２分割する。これにより、第一及び第二の玉貯留空間を長細い空間とすることなく２分割できるので、第一の玉貯留空間内での第一のパチンコ玉の玉流れ、及び第二の玉貯留空間内での第二のパチンコ玉の玉流れに支障を来たすことなくスムーズにパチンコ玉を循環使用することができる。なお、長細い玉貯留空間とした場合では、玉貯留空間内のパチンコ玉を中央の第一及び第二の樋部に転動する傾斜底面の幅寸法が、パチンコ玉を転動する上で最適に設計された値よりも大幅に縮小されることになり、傾斜底面上でのパチンコ玉の玉流れに支障を来たす虞がある。
【図面の簡単な説明】
【００１６】
【図１】同図（Ａ）は遊技場に設けられる複数のパチンコ島台とそれに関連して設けられるベースタンク、交流樋、及び玉移送経路との関係を示す側面から見た全体概略図であり、同図（Ｂ）は複数のパチンコ島台とそれに関連して設けられるベースタンク、交流樋、及び玉移送経路との関係を示す上面から見た全体概略図である。
【図２】パチンコ島台の内部構造を示す正面図である。
【図３】ベースタンクと該ベースタンクに隣接して設けられるパチンコ島台に設けられる上部タンク及び下部タンクを示す斜視図である。
【図４】ベースタンクと該ベースタンク内に取り付けられる仕切板とを示す分解斜視図である。
【図５】仕切板が取り付けられたベースタンクを示す斜視図である。
【図６】仕切板及び玉量センサが取り付けられたベースタンクを示す斜視図である。
【図７】同図（Ａ）はベースタンクと該ベースタンクに隣接するパチンコ島台との関係を示す側面から見た概略図であり、同図（Ｂ）は同図（Ａ）のＡ視平面図であり、同図（Ｃ）は同図（Ａ）のＢ視平面図であり、同図（Ｄ）は同図（Ｂ）のＣ方向からベースタンクを見た説明図であり、同図（Ｅ）は同図（Ｂ）のＤ方向からベースタンクを見た説明図である。
【図８】ベースタンクのパチンコ玉貯留量を出力する玉量制御基板の制御系を示す島台ブロック図である。
【図９】玉量制御基板によって行われる玉量制御処理を示すフローチャートの一部である。
【図１０】玉量制御基板によって行われる玉量制御処理を示すフローチャートの一部である。
【図１１】同図（Ａ）〜（Ｃ）はそれぞれベースタンクＢ１側からベースタンクＢ２側へ金玉を移送するシャッター装置の開閉制御を示す説明図である。
【図１２】同図（Ａ）〜（Ｃ）はそれぞれベースタンクＢ２側からベースタンクＢ１側へ金玉を移送するシャッター装置の開閉制御を示す説明図である。
【図１３】同図（Ａ）は従来の島交流式玉移送装置を示す全体概略図であり、同図（Ｂ）は２種類のパチンコ玉を個々に循環使用するシステムに変更した従来の島交流式玉移送装置を示す全体概略図である。
【発明を実施するための最良の形態】
【００１７】
以下、図面を参照して本発明の実施の形態について説明する。まず、図１乃至図１２を参照して、本発明の実施形態について説明する。図１（Ａ）は、遊技場に配置される複数のパチンコ島台Ａ１〜Ａ７とそれに関連して設けられるベースタンクＢ１，Ｂ２、交流樋３ａ〜３ｈ、及び玉移送経路６，７との関係を示す側面から見た全体概略図であり、図１（Ｂ）は、遊技場に配置される複数のパチンコ島台Ａ１〜Ａ７とそれに関連して設けられるベースタンクＢ１，Ｂ２、交流樋３ａ〜３ｈ、及び玉移送経路６，７との関係を示す上面から見た全体概略図である。図２は、パチンコ島台Ａ１〜Ａ７の内部構造を示す正面図である。図３は、ベースタンクＢ１と該ベースタンクＢ１に隣接して設けられるパチンコ島台Ａ３に設けられる上部タンク２２及び下部タンク１３を示す斜視図である。図４は、ベースタンクＢ１と該ベースタンクＢ１内に取り付けられる仕切板３４とを示す分解斜視図である。図５は、仕切板３４が取り付けられたベースタンクＢ１を示す斜視図である。図６は、仕切板３４及び玉量センサ５３ａ〜５３ｅ，５４ａ〜５４ｅが取り付けられたベースタンクＢ１を示す斜視図である。図７（Ａ）は、ベースタンクＢ１と該ベースタンクＢ１に隣接するパチンコ島台Ａ２，Ａ３との関係を示す側面から見た概略図であり、図７（Ｂ）は、図７（Ａ）のＡ視平面図であり、図７（Ｃ）は、図７（Ａ）のＢ視平面図であり、図７（Ｄ）は、図７（Ｂ）のＣ方向からベースタンクＢ１を見た説明図であり、図７（Ｅ）は、図７（Ｂ）のＤ方向からベースタンクＢ１を見た説明図である。図８は、ベースタンクＢ１のパチンコ玉貯留量を出力する玉量制御基板５０の制御系を示すブロック図である。図９は、玉量制御基板５０によって行われる玉量制御処理を示すフローチャートの一部である。図１０は、玉量制御基板５０によって行われる玉量制御処理を示すフローチャートの一部である。図１１（Ａ）〜（Ｃ）は、それぞれベースタンクＢ１側からベースタンクＢ２側へ金玉を移送するシャッター装置５２の開閉制御を示す説明図である。図１２（Ａ）〜（Ｃ）は、それぞれベースタンクＢ２側からベースタンクＢ１側へ金玉を移送するシャッター装置５１の開閉制御を示す説明図である。
【００１８】
まず、図１（Ａ），（Ｂ）において、遊技場に設置される複数のパチンコ島台Ａ１〜Ａ７（遊技場によっては、それ以上又は以下のパチンコ島台が設置される）には、それぞれ内部に比較的少ないパチンコ玉を貯留する下部タンク１３（約２万個前後貯留できる）が内蔵され、その下部タンク１３に貯留されたパチンコ玉を玉揚送装置２１（図２参照）で上部タンク２２に揚送し、それぞれのパチンコ島台Ａ１〜Ａ７に設置されるパチンコ機１０や玉貸機２４（共に図２参照）に玉を補給するようになっている。パチンコ機１０で使用されたパチンコ玉は、アウト玉回収樋１２（図２参照）に回収されて前記下部タンク１３に導かれ、再度玉揚送装置２１によって揚送される。これによってパチンコ玉がそれぞれのパチンコ島台Ａ１〜Ａ７内を循環する。
【００１９】
但し、本実施形態では、貸玉料金が４円／個となる通常遊技用のパチンコ島台と、貸玉料金が１円／個となるイチパチ遊技用のパチンコ島台と、の２種類のパチンコ島台を設置するものであり、個々（通常遊技用とイチパチ遊技用）のパチンコ島台毎で使用するパチンコ玉の色を異ならせるようになっている。通常遊技用のパチンコ島台では、金色のパチンコ玉（以下、これを金玉ともいう）を使用する一方、イチパチ遊技用のパチンコ島台では、銀色のパチンコ玉（以下、これを銀玉ともいう）を使用する。このため、金玉は、通常遊技用の島台ブロックとなるパチンコ島台Ａ３，Ａ４間でのみ循環使用され、銀玉は、イチパチ遊技用の島台ブロックとなるパチンコ島台Ａ２，Ａ１間でのみ循環使用されるようになっている。
【００２０】
また、パチンコ島台Ａ１〜Ａ７のうちの所定のパチンコ島台（実施形態中では、パチンコ島台Ａ２，Ａ６）には、遊技客が獲得したパチンコ玉を返却するための玉返却装置５がその島端（必ずしも島端でなくてもよい、例えば、島中央）に設けられている。玉返却装置５によって返却されるパチンコ玉数が極めて多量になって当該パチンコ島台における最大貯留量を超えると玉揚送装置２１で揚送されたパチンコ玉は、上部タンク２２から返却樋４等を介して後に詳述するベースタンクＢ１，Ｂ２に返却されるようになっている。なお、玉返却装置５は、通常遊技用の島台ブロックとなるパチンコ島台Ａ６と、イチパチ遊技用の島台ブロックとなるパチンコ島台Ａ２と、にそれぞれ専用（金玉用と銀玉用）のものが個別に設けられる。返却樋４は、後述する第一の島台ブロックを構成する対向位置のパチンコ島台Ａ２の上部タンク２２からベースタンクＢ１へ、後述する第二の島台ブロックを構成する対向位置のパチンコ島台Ａ３の上部タンク２２からベースタンクＢ１へ向けて、それぞれ差し渡されており、同様に、後述する第三の島台ブロックを構成する対向位置のパチンコ島台Ａ６の上部タンク２２からベースタンクＢ２へ、後述する第四の島台ブロックを構成する対向位置のパチンコ島台Ａ７の上部タンク２２からベースタンクＢ２へ向けて、それぞれ差し渡されている。
【００２１】
図示のパチンコ島台Ａ１〜Ａ７においては、複数のパチンコ島台Ａ１，Ａ２とパチンコ島台Ａ３，Ａ４とパチンコ島台Ａ５，Ａ６とパチンコ島台Ａ７〜とをそれぞれ１つの島台ブロックとして考え、各島台ブロックの間に大型のベースタンクＢ１，Ｂ２が設けられている。実施形態中では、第一の島台ブロックであるパチンコ島台Ａ１，Ａ２と、第二の島台ブロックであるパチンコ島台Ａ３，Ａ４の間で、それぞれ対向する位置（以下、これを対向位置ともいう）にあるパチンコ島台Ａ２及びパチンコ島台Ａ３の間に、ベースタンクＢ１（第一のベースタンク）が配置されており、また、第三の島台ブロックであるパチンコ島台Ａ５，Ａ６と、第四の島台ブロックであるパチンコ島台Ａ７〜の間で、それぞれ対向位置にあるパチンコ島台Ａ６及びパチンコ島台Ａ７の間に、ベースタンクＢ２（第二のベースタンク）が配置されている。したがって、パチンコ島台Ａ１，Ａ２とパチンコ島台Ａ３，Ａ４とベースタンクＢ１とで第一の島交流式玉移送装置を構成し、パチンコ島台Ａ５，Ａ６とパチンコ島台Ａ７〜とベースタンクＢ２とで第二の島交流式玉移送装置を構成している。また、第一の島台ブロックを構成するパチンコ島台Ａ１，Ａ２は、前述した貸玉料金が１円／個となるイチパチ遊技用のパチンコ島台であり、当該パチンコ島台Ａ１，Ａ２間で銀玉が循環使用される。一方、第二の島台ブロックを構成するパチンコ島台Ａ３，Ａ４と第三の島台ブロックを構成するパチンコ島台Ａ５，Ａ６と第四の島台ブロックを構成するパチンコ島台Ａ７〜は、前述した貸玉料金が４円／個となる通常遊技用のパチンコ島台であり、当該パチンコ島台Ａ３〜Ａ６，Ａ７〜間で金玉が循環使用される。
【００２２】
しかして、ベースタンクＢ１，Ｂ２には、各島台ブロックで必要とされるパチンコ玉量を貯留し得るようになっており、例えば、１つのパチンコ島台に必要な玉量が５０万個であるとすれば、４つのパチンコ島台Ａ１〜Ａ４に必要な２００万個のパチンコ玉量を貯留し得る容量を有するように構成されている。なお、ベースタンクＢ１は、第一の島台ブロックを構成するパチンコ島台Ａ１，Ａ２で必要なパチンコ玉である銀玉１００万個と、第二の島台ブロックを構成するパチンコ島台Ａ３，Ａ４で必要なパチンコ玉である金玉１００万個と、をそれぞれ貯留し得る容量を有し、ベースタンクＢ２は、第三の島台ブロックを構成するパチンコ島台Ａ５，Ａ６で必要なパチンコ玉である金玉１００万個と、第四の島台ブロックを構成するパチンコ島台Ａ７〜で必要なパチンコ玉である金玉１００万個と、を貯留し得る容量を有している。
【００２３】
また、上記した第一及び第二の島台ブロックに属する各パチンコ島台Ａ１，Ａ２又はＡ３，Ａ４には、玉量が不足したとき又は玉量が充満したときに各島台ブロック間にあるベースタンクＢ１から不足した玉を受け入れたり、ベースタンクＢ１に過剰の玉を送り出したりするようになっている。このため、第一の島台ブロックを構成する各パチンコ島台Ａ１，Ａ２間、第二の島台ブロックを構成する各パチンコ島台Ａ３，Ａ４間には、それぞれパチンコ玉のやり取りを行うための交流樋３ａ〜３ｄが差し渡されている。具体的に、第一の島台ブロックを構成する各パチンコ島台Ａ１，Ａ２においては、パチンコ島台Ａ１の上部タンク２２からパチンコ島台Ａ２の上部タンク２２に向けて銀玉を送り込む交流樋３ａと、パチンコ島台Ａ２の上部タンク２２からパチンコ島台Ａ１の上部タンク２２に向けて銀玉を送り込む交流樋３ｂと、が設けられ、第二の島台ブロックを構成する各パチンコ島台Ａ３，Ａ４においては、パチンコ島台Ａ３の上部タンク２２からパチンコ島台Ａ４の上部タンク２２に向けて金玉を送り込む交流樋３ｃと、パチンコ島台Ａ４の上部タンク２２からパチンコ島台Ａ３の上部タンク２２に向けて金玉を送り込む交流樋３ｄと、が設けられている。
【００２４】
同様に、第三及び第四の島台ブロックに属する各パチンコ島台Ａ５，Ａ６又はＡ７〜には、玉量が不足したとき又は玉量が充満したときに各島台ブロック間にあるベースタンクＢ２から不足した玉を受け入れたり、ベースタンクＢ２に過剰の玉を送り出したりするようになっている。このため、第三の島台ブロックを構成する各パチンコ島台Ａ５，Ａ６間、第四の島台ブロックを構成する各パチンコ島台Ａ７〜間には、それぞれパチンコ玉のやり取りを行うための交流樋３ｅ〜３ｈが差し渡されている。具体的に、第三の島台ブロックを構成する各パチンコ島台Ａ５，Ａ６においては、パチンコ島台Ａ５の上部タンク２２からパチンコ島台Ａ６の上部タンク２２に向けて金玉を送り込む交流樋３ｅと、パチンコ島台Ａ６の上部タンク２２からパチンコ島台Ａ５の上部タンク２２に向けて金玉を送り込む交流樋３ｆと、が設けられ、第四の島台ブロックを構成する各パチンコ島台Ａ７〜においては、パチンコ島台Ａ７の上部タンク２２から図示しないもう１つのパチンコ島台の上部タンク２２に向けて金玉を送り込む交流樋３ｇと、図示しないもう１つのパチンコ島台の上部タンク２２からパチンコ島台Ａ７の上部タンク２２に向けて金玉を送り込む交流樋３ｈと、が設けられている。
【００２５】
また、第二の島台ブロックに属するパチンコ島台Ａ３の上部タンク２２と第三の島台ブロックに属するパチンコ島台Ａ５の上部タンク２２との間には、玉移送経路６が交差状に差し渡され、第二の島台ブロックに属するパチンコ島台Ａ４の上部タンク２２と第三の島台ブロックに属するパチンコ島台Ａ６の上部タンク２２との間には、玉移送経路７が交差状に差し渡されている。玉移送経路６，７は、中間に位置するパチンコ島台Ａ４又はＡ５の上部タンク２２の内部を貫通している。
【００２６】
また、玉移送経路６，７の末端部分、言い換えれば、パチンコ島台Ａ５の上部タンク２２と玉移送経路６の上流端との接続部分、及びパチンコ島台Ａ４の上部タンク２２と玉移送経路７の上流端との接続部分には、それぞれ図示しない電気的駆動源によって開閉駆動されるシャッター装置５１，５２（玉移送制御手段）が設けられている。このシャッター装置５１，５２は、ベースタンクＢ１，Ｂ２に貯留される玉量に応じて後述する玉量制御基板５０によって電気的に開閉制御されるものであり、開放された状態では、玉移送経路６，７内をパチンコ玉が下流側のベースタンクＢ１，Ｂ２に向けて流下し、閉塞された状態では、玉移送経路６，７内にパチンコ玉が停滞する。
【００２７】
以上、複数のパチンコ島台Ａ１〜Ａ７の関係についての概略を説明したが、上記のように複数のパチンコ島台を１つの島台ブロックとし、島台ブロックを構成する複数のパチンコ島台間及び複数の島台ブロックの間に配置されるベースタンクＢ１，Ｂ２と該ベースタンクＢ１，Ｂ２を挟む対向位置にあるパチンコ島台との間を、交流樋３ａ〜３ｈ及び返却樋４でパチンコ玉の搬送を行う形式を島交流と呼んでおり、さらに、必要に応じて２つの島交流の間を玉移送経路６，７で連結することにより遊技場全体でパチンコ玉の搬送を行うことができる。そこで、次に島交流形式のパチンコ島台及びベースタンクの構造について説明する。まず、パチンコ島台の構造について図２を参照して説明する。
【００２８】
図２において、ベースタンクＢ１又はＢ２を挟むパチンコ島台Ａ２，Ａ３，Ａ６，Ａ７（以下、これを主パチンコ島台ともいう）においては、前述したように、それぞれ内部に比較的少ないパチンコ玉を貯留する下部タンク１３が内蔵され、その下部タンク１３に貯留されたパチンコ玉を主パチンコ島台Ａ２，Ａ３，Ａ６，Ａ７のほぼ中央に立設される玉揚送装置２１で上部タンク２２に揚送し、主パチンコ島台Ａ２，Ａ３，Ａ６，Ａ７に設置されるパチンコ機１０や玉貸機２４に補給樋２３を介して玉を補給するようになっている。パチンコ機１０で使用されたパチンコ玉は、アウト玉箱１１を介してアウト玉回収樋１２に放出され、そのアウト玉回収樋１２に回収されて前記下部タンク１３に導かれた後に、再度玉揚送装置２１によって揚送される。これによってパチンコ玉が主パチンコ島台Ａ２，Ａ３，Ａ６，Ａ７内を循環する。
【００２９】
主パチンコ島台Ａ２，Ａ３，Ａ６，Ａ７に内蔵される下部タンク１３は、直方体状に形成され、その底面に玉揚送装置２１の導入樋１６に向かって下り傾斜する底板１４を有し、その内側上部に底板１４と反対方向に傾斜する上部誘導樋１５が設けられている。この上部誘導樋１５の上流部には、交流樋３ｂ，３ｃから供給されたパチンコ玉が上部タンク２２を介して誘導され、その誘導されたパチンコ玉を上部誘導樋１５によって下部タンク１３の上流側に搬送するようになっている。また、下部タンク１３の上流側上部に流入口１８が開設されているが、この流入口１８は、ベースタンクＢ１又はＢ２から流入するパチンコ玉を受け入れるための開口であり、このため、ベースタンクＢ１又はＢ２と下部タンク１３との間には、流入口１８に接続される流入樋２０ａ，２０ｂ（図１（Ａ）参照）が差し渡されている。なお、ベースタンクＢ１又はＢ２からパチンコ玉を流入する流入口１８は、下部タンク１３の上流側上部に開設されることで、下部タンク１３の玉貯留空間を最大限に活用して下部タンク１３内にパチンコ玉を貯留し得る構成となっている。また、流入口１８が下部タンク１３の上流側になればなるほど、底板１４の高さ位置が高くなるため、流入口１８と底板１４との間の落差が小さくなり、流入口１８から落下するパチンコ玉の衝撃で底板１４が破損してしまう事態を軽減するようになっている。また、各ブロックを構成する対向位置以外のパチンコ島台、言い換えればベースタンクＢ１又はベースタンクＢ２を挟まないパチンコ島台Ａ１，Ａ４，Ａ５（以下、これを従パチンコ島台ともいう）は、ベースタンクＢ１又はベースタンクＢ２との間で直接的にパチンコ玉のやり取りを行わないため、ベースタンクＢ１又はベースタンクＢ２との間で流入樋２０ａ，２０ｂが差し渡されることはなく、下部タンク１３にも流入口１８は設けられない。
【００３０】
また、下部タンク１３は、主パチンコ島台Ａ２，Ａ３，Ａ６，Ａ７のほぼ中央に立設される玉揚送装置２１の一側部位（図２において右側）に設置されているので、反対側に設置されたパチンコ機１０からのアウト玉を回収するアウト玉回収樋１２を流れるパチンコ玉を下部タンク１３に導くために該アウト玉回収樋１２と下部タンク１３との間に連絡樋１７が差し渡されている。この連絡樋１７の末端は、前記導入樋１６の接続位置のやや上部である。
【００３１】
上記した下部タンク１３に貯留されていたパチンコ玉は、導入樋１６により複数列に整列されて玉揚送装置２１の導入口に送り込まれる。玉揚送装置２１は、図示の実施形態の場合、モータ内蔵プーリによって旋回駆動される揚送ベルトと該揚送ベルトに対面して設けられ且つ揚送ベルトとの間にパチンコ玉を挟持しながら研摩する研摩布とを有し、前記導入樋１６から導かれたパチンコ玉を揚送ベルトの摩擦力によって研摩しながら上部に揚送するものである。玉揚送装置２１によって揚送されたパチンコ玉は、上部タンク２２に排出される。
【００３２】
上部タンク２２は、パチンコ玉をパチンコ機１０や玉貸機２４に補給するための補給樋２３、各パチンコ島台間でパチンコ玉をやり取りするための交流樋３ａ〜３ｈ、玉移送経路６，７あるいはパチンコ玉をベースタンクＢ１又はＢ２に返却するための返却樋４が接続されており、受け入れたパチンコ玉を補給樋２３、交流樋３ａ〜３ｈ、玉移送経路６，７、あるいは返却樋４に振り分ける機能を有している。具体的に、第一の島台ブロックの主パチンコ島台Ａ２の上部タンク２２には、パチンコ玉（銀玉）をパチンコ機１０や玉貸機２４に補給するための補給樋２３と、第一の島台ブロックの従パチンコ島台Ａ１の上部タンク２２との間でパチンコ玉（銀玉）をやり取りするための交流樋３ａ，３ｂと、パチンコ玉（銀玉）をベースタンクＢ１（詳しくは、後述する銀玉貯留空間３３ｂ）側へ誘導するための返却樋４と、が接続されている。また、パチンコ島台Ａ１の上部タンク２２には、パチンコ玉（銀玉）をパチンコ機１０や玉貸機２４に補給するための補給樋２３と、パチンコ島台Ａ２の上部タンク２２との間でパチンコ玉（銀玉）をやり取りするための交流樋３ａ，３ｂと、が接続されている。
【００３３】
第二の島台ブロックの主パチンコ島台Ａ３の上部タンク２２には、パチンコ玉（金玉）をパチンコ機１０や玉貸機２４に補給するための補給樋２３と、第二の島台ブロックの従パチンコ島台Ａ４の上部タンク２２との間でパチンコ玉（金玉）をやり取りするための交流樋３ｃ，３ｄと、第三の島台ブロックのパチンコ島台Ａ５の上部タンク２２からパチンコ玉（金玉）を受け入れるための玉移送経路６と、パチンコ玉（金玉）をベースタンクＢ１（詳しくは、後述する金玉貯留空間３３ａ）側へ誘導するための返却樋４と、が接続されている。また、パチンコ島台Ａ４の上部タンク２２には、パチンコ玉（金玉）をパチンコ機１０や玉貸機２４に補給するための補給樋２３と、パチンコ島台Ａ３の上部タンク２２との間でパチンコ玉（金玉）をやり取りするための交流樋３ｃ，３ｄと、パチンコ島台Ａ６へパチンコ玉（金玉）を移送するための玉移送経路７と、が接続され、各パチンコ島台Ａ３，Ａ５間に差し渡された玉移送経路６が貫通されている。
【００３４】
第三の島台ブロックの主パチンコ島台Ａ６の上部タンク２２には、パチンコ玉（金玉）をパチンコ機１０や玉貸機２４に補給するための補給樋２３と、第三の島台ブロックの従パチンコ島台Ａ５の上部タンク２２との間でパチンコ玉（金玉）をやり取りするための交流樋３ｅ，３ｆと、第二の島台ブロックのパチンコ島台Ａ４の上部タンク２２からパチンコ玉（金玉）を受け入れるための玉移送経路７と、パチンコ玉（金玉）をベースタンクＢ２側へ誘導するための返却樋４と、が接続されている。また、パチンコ島台Ａ５の上部タンク２２には、パチンコ玉（金玉）をパチンコ機１０や玉貸機２４に補給するための補給樋２３と、パチンコ島台Ａ６の上部タンク２２との間でパチンコ玉（金玉）をやり取りするための交流樋３ｅ，ｆｄと、パチンコ島台Ａ３へパチンコ玉（金玉）を移送するための玉移送経路６と、が接続され、各パチンコ島台Ａ４，Ａ６間に差し渡された玉移送経路７が貫通されている。
【００３５】
第四の島台ブロックの主パチンコ島台Ａ７の上部タンク２２には、パチンコ玉（金玉）をパチンコ機１０や玉貸機２４に補給するための補給樋２３と、第四の島台ブロックの図示しない従パチンコ島台の上部タンク２２との間でパチンコ玉（金玉）をやり取りするための交流樋３ｇ，３ｈと、パチンコ玉（金玉）をベースタンクＢ２側へ誘導するための返却樋４と、が接続されている。なお、主パチンコ島台Ａ２，Ａ３，Ａ６，Ａ７の上部タンク２２には、それぞれ当該上部タンク２２内のパチンコ玉を返却樋４を介してベースタンクＢ１又はＢ２側へ流出するための流出口２２ａが開設されている（図３参照）。但し、従パチンコ島台Ａ１，Ａ４，Ａ５は、直接的にパチンコ玉をベースタンクＢ１又はＢ２側へ流出することがない、言い換えれば、パチンコ島台Ａ１，Ａ４，Ａ５の上部タンク２２には返却樋４が接続されないため、流出口２２ａは開設されない。
【００３６】
以上、島交流形式におけるパチンコ島台の構造について説明したが、次にこの島交流形式において重要な構成要素であるベースタンクＢ１，Ｂ２について、図３乃至図１２を参照して説明する。なお、ベースタンクＢ２は、金玉貯留専用のベースタンクであり、後述する仕切板３４を除いて基本的なタンク構造がベースタンクＢ１とほぼ同一である。このため、以下の説明では、ベースタンクＢ１の構造を主として説明すると共に、各ベースタンクＢ１，Ｂ２における同一の構成部材については同一の符号を付して説明を行う。
【００３７】
ベースタンクＢ１は、図３に示すように、上面が開口した直方体状に合板又は金属板で形成され、その底板が中央に向かって下り傾斜している。即ち、横長方形状の上面開口３０を有するベースタンクＢ１は、長手方向における両端からそれぞれ中央に向って下り傾斜した左右一対の底板３１，３２を有しており、底板３１，３２の下流端部分となる中央傾斜底面には、ベースタンクＢ１の横幅方向（長手方向と直交する方向）の中央から両端に向って個々に下り傾斜した樋部３１ａ，３２ａが凹状に形成されている。一方の樋部３１ａは、ベースタンクＢ１を挟む主パチンコ島台のうち金玉を使用するパチンコ島台Ａ３の下部タンク１３（流入口１８）とベースタンクＢ１との間で差し渡される流入樋２０ｂが接続される。一方、他方の樋部３２ａは、ベースタンクＢ１を挟む主パチンコ島台のうち銀玉を使用するパチンコ島台Ａ２の下部タンク１３（流入口１８）とベースタンクＢ１との間で差し渡される流入樋２０ａが接続される。
【００３８】
ところで、本実施形態のベースタンクＢ１は、前述したように第一の島台ブロックを構成するパチンコ島台Ａ１，Ａ２で必要なパチンコ玉である銀玉と、第二の島台ブロックを構成するパチンコ島台Ａ３，Ａ４で必要なパチンコ玉である金玉と、をそれぞれ貯留し得る構成となっているが、このような銀玉及び金玉は、それぞれ使用されるパチンコ島台（島台ブロック）が異なるため、ベースタンクＢ１内で混在することなく個別に分けて貯留する必要がある。このため、本実施形態では、ベースタンクＢ１の玉貯留空間３３内に仕切板３４を設けることで、第二の島台ブロック（パチンコ島台Ａ３，Ａ４）、第三の島台ブロック（パチンコ島台Ａ５，Ａ６）、及び第四の島台ブロック（パチンコ島台Ａ７〜）で使用される金玉を貯留するための金玉貯留空間３３ａと、第一の島台ブロック（パチンコ島台Ａ１，Ａ２）で使用される銀玉を貯留するための銀玉貯留空間３３ｂと、に玉貯留空間３３内を２分割している。具体的に、仕切板３４は、図４に示すように、ベースタンクＢ１の中央傾斜底面部における玉貯留空間３３の高さ寸法とほぼ同一の高さ寸法に形成されてベースタンクＢ１の長手方向と平行状に配置された基板部３５と、該基板部３５の両側端から個々に折曲して装着時にベースタンクＢ１の横幅方向側壁内側に当接する位置まで延設される第一及び第二の折曲板部３６，３７と、基板部３５の下側中央から下方に向かって凸状に突設される流入樋仕切部３８と、を備えている。第一及び第二の折曲板部３６，３７は、それぞれ基板部３５の各側端から相互に反対方向へ直角に折れ曲った状態で形成されると共に、玉貯留空間３３の横幅寸法のほぼ半分の長さ寸法（延設寸法）と基板部３５とほぼ同一の高さ寸法を有して形成されている。また、流入樋仕切部３８は、凹状の樋部３１ａ，３２ａの高さ寸法とほぼ同一の長さ寸法（突設寸法）に形成されている。
【００３９】
しかして、仕切板３４は、図５に示すように、ベースタンクＢ１の横幅方向の両端に向って個々に下り傾斜した各樋部３１ａ，３２ａの境界部分に流入樋仕切部３８が挿入された状態でベースタンクＢ１の玉貯留空間３３内に取り付けられ、この状態で、第一の折曲板部３６は、樋部３２ａの側方位置となる底板３１上にベースタンクＢ１の横幅方向の一方の側壁内側に当接するように配される一方、第二の折曲板部３７は、樋部３１ａの側方位置となる底板３２上にベースタンクＢ１の横幅方向の他方の側壁内側に当接するように配される。これにより、仕切板３４は、底板３１を空間底面とすると共に空間内に樋部３１ａを連通させた金玉貯留空間３３ａと、底板３２を空間底面とすると共に空間内に樋部３２ａを連通させた銀玉貯留空間３３ｂと、に玉貯留空間３３内を２分割する。なお、各パチンコ島台Ａ６，Ａ７間に配置されるベースタンクＢ２は、第二の島台ブロック（パチンコ島台Ａ３，Ａ４）、第三の島台ブロック（パチンコ島台Ａ５，Ａ６）、及び第四の島台ブロック（パチンコ島台Ａ７〜）で使用される金玉を専用に貯留するベースタンクである。従って、ベースタンクＢ２の玉貯留空間３３は、ベースタンクＢ１のように金玉貯留空間３３ａと銀玉貯留空間３３ｂとに２分割する必要がないため、仕切板３４は設けられない。
【００４０】
また、図６に示すように、ベースタンクＢ１の金玉貯留空間３３ａ及び銀玉貯留空間３３ｂには、それぞれ中央寄り（仕切板３４寄り）の内壁部分に左右の貯留空間３３ａ，３３ｂ内に貯留される玉量を検出する玉量センサ５３ａ〜５３ｅ，５４ａ〜５４ｅが設けられている。具体的には、金玉貯留空間３３ａの内壁部分に、ベースタンクＢ１内の金玉の貯留量を検出する玉量センサ５３ａ〜５３ｅ（第二の玉貯留量検出手段）が下部位置から順に高さが異なるように列状に取り付けられ、同じく銀玉貯留空間３３ｂの内壁部分に、ベースタンクＢ１内の銀玉の貯留量を検出する玉量センサ５４ａ〜５４ｅ（第一の玉貯留量検出手段）が下部位置から順に高さが異なるように列状に取り付けられる。また、ベースタンクＢ１と同様に、ベースタンクＢ２の玉貯留空間３３における中央寄りの内壁部分には、ベースタンクＢ２の玉貯留空間３３内に貯留される金玉の玉量を検出する玉量センサ５５ａ〜５５ｅが設けられている（図１１及び図１２参照）。
【００４１】
また、ベースタンクＢ１の金玉貯留空間３３ａ内に設けられた玉量センサ５３ａ〜５３ｅ、ベースタンクＢ１の銀玉貯留空間３３ｂ内に設けられた玉量センサ５４ａ〜５４ｅ、及びベースタンクＢ２内に設けられた玉量センサ５５ａ〜５５ｅは、それぞれベースタンクＢ１，Ｂ２内の高さ位置がほぼ同一に設定されており、下部位置の玉量センサ５３ａ，５４ａ，５５ａから上側へ順に、貯留量レベルをレベル１〜５として検出するようになっている。そして、玉量センサ５３ａ〜５３ｅ，５４ａ〜５４ｅ，５５ａ〜５５ｅの各検出信号に基づいて、ベースタンクＢ１の金玉貯留空間３３ａ及び銀玉貯留空間３３ｂの各貯留量が均等となるようにシャッター装置５１，５２を開放制御する。その制御は、主パチンコ島台Ａ２の内部に設けられる玉量制御基板５０（図２参照：玉量比較判定手段、玉移送制御手段）によって自動制御されるものである。
【００４２】
即ち、玉量制御基板５０には、図８に示すように、自島に関連するベースタンクＢ１に設けられる各玉量センサ５３ａ〜５３ｅ，５４ａ〜５４ｅからの検出信号（図８中には、玉量センサ５４ａ〜５４ｅからの検出信号を銀玉タンク玉量信号と記載し、玉量センサ５３ａ〜５３ｅからの検出信号を第一金玉タンク玉量信号と記載する）と、ベースタンクＢ２に設けられる玉量センサ５５ａ〜５５ｅからの検出信号（図８中には、玉量センサ５５ａ〜５５ｅからの検出信号を第二金玉タンク玉量信号と記載する）とが入力されるようになっている。これにより、玉量制御基板５０は、各検出信号（銀玉タンク玉量信号、第一及び第二の金玉タンク玉量信号）の入力に基づいて、玉移送経路６の上流端に設けられたシャッター装置５１（図８中には、第二金玉タンク→第一金玉タンク方向のＬＣと記載）と玉移送経路７の上流端に設けられたシャッター装置５２（図８中には、第一金玉タンク→第二金玉タンク方向のＬＣと記載）とに駆動信号を出力することで、各シャッター装置５１，５２の開閉制御を行い、ベースタンクＢ１の金玉貯留空間３３ａ及び銀玉貯留空間３３ｂの各貯留量が均等となるように制御するようになっている。なお、玉量制御基板５０による各シャッター装置５１，５２の具体的な開閉制御については後で詳述する。
【００４３】
更に、ベースタンクＢ１の金玉貯留空間３３ａ及び銀玉貯留空間３３ｂには、それぞれ玉受板４３，４４が設けられている。玉受板４３，４４は、それぞれベースタンクＢ１の長手方向に沿って伸びる長板形状に形成されると共に、その中央部分を頂点としてベースタンクＢ１の長手方向の両側端に向って個々に下り傾斜した山型形状に形成されている。玉受板４３は、金玉貯留空間３３ａを構成するベースタンクＢ１内壁の上側部分に釘やボルト等の固着手段で固着され、玉受板４４は、銀玉貯留空間３３ｂを構成するベースタンクＢ１内壁の上側部分に釘やボルト等の固着手段で固着されている。
【００４４】
また、ベースタンクＢ１の上面開口３０において、玉受板４３の山型形状の頂点部分と対向する部位には、返却樋４を介してパチンコ島台Ａ３の上部タンク２２と連通する導入樋４５の玉排出口４５ａが配され、玉受板４４の山型形状の頂点部分と対向する部位には、返却樋４及び各誘導樋４６，４７を介してパチンコ島台Ａ２の上部タンク２２と連通する導入樋４８の玉排出口４８ａが配されている。
【００４５】
次に、上記したベースタンクＢ１と、該ベースタンクＢ１を挟む主パチンコ島台（パチンコ島台Ａ２，Ａ３）との間でのパチンコ玉のやり取りについて、図７を参照して説明する。なお、主パチンコ島台（パチンコ島台Ａ２，Ａ３）に設けられる上部タンク２２は、自島における各パチンコ機１０へのパチンコ玉の補給を最優先に行い、その補給が必要なくなったときに交流樋３ｂ，３ｃを介して従パチンコ島台（パチンコ島台Ａ１，Ａ４）へパチンコ玉を誘導し、さらにその誘導が必要なくなったときに余剰のパチンコ玉をベースタンクＢ１に返却するように構成されている。
【００４６】
まず、貸玉料金が１円／個となるイチパチ遊技用の主パチンコ島台（主パチンコ島台Ａ２）とベースタンクＢ１との間でのパチンコ玉（銀玉）のやり取りについて説明する。主パチンコ島台Ａ２からベースタンクＢ１へ銀玉を返却する際には、図７（Ｂ）に示すように、主パチンコ島台Ａ２の上部タンク２２から返却樋４を介してベースタンクＢ１上に設けられた誘導樋４６に銀玉を送り込む。誘導樋４６に送り込まれた銀玉は、誘導樋４７を通って導入樋４８に導かれ、その後、図７（Ｄ）に示すように、導入樋４８の玉排出口４８ａから玉受板４４上に排出される。これにより、玉受板４４上に排出された銀玉は、玉受板４４によってその落下速度が軽減されると共に、山型形状に傾斜した玉受板４４上で左右に振り分けられてベースタンクＢ１の銀玉貯留空間３３ｂ内に送り込まれる。また、銀玉貯留空間３３ｂ内に送り込まれた銀玉は、図７（Ｃ）に示すように、銀玉貯留空間３３ｂの底面を構成する底板３２上を転動してベースタンクＢ１の長手方向の中央側（流入樋２０ａが連通された樋部３２ａ側）へ誘導される。そして、主パチンコ島台Ａ２の下部タンク１３内に充分な銀玉が貯留されている場合は、流入樋２０ａを介したベースタンクＢ１の銀玉貯留空間３３ｂから主パチンコ島台Ａ２の下部タンク１３への銀玉の補給が停止されることで、余剰の銀玉がベースタンクＢ１の銀玉貯留空間３３ｂ内に貯留される。一方、主パチンコ島台Ａ２の下部タンク１３内に貯留される銀玉が不足している場合は、ベースタンクＢ１の銀玉貯留空間３３ｂ内に貯留されている銀玉が流入樋２０ａを介して主パチンコ島台Ａ２の下部タンク１３に補給される。
【００４７】
次に、貸玉料金が４円／個となる通常遊技用の主パチンコ島台（パチンコ島台Ａ３）とベースタンクＢ１との間でのパチンコ玉（金玉）のやり取りについて説明する。主パチンコ島台Ａ３からベースタンクＢ１へ金玉を返却する際には、図７（Ｂ）に示すように、主パチンコ島台Ａ３の上部タンク２２から返却樋４を介してベースタンクＢ１上に設けられた導入樋４５に金玉を送り込む。導入樋４５に送り込まれた金玉は、図７（Ｅ）に示すように、導入樋４５の玉排出口４５ａから玉受板４３上に排出される。これにより、玉受板４３上に排出された金玉は、玉受板４４上に排出される銀玉と同様に、玉受板４３によってその落下速度が軽減されると共に、山型形状に傾斜した玉受板４３上で左右に振り分けられてベースタンクＢ１の金玉貯留空間３３ａ内に送り込まれる。また、金玉貯留空間３３ａ内に送り込まれた金玉は、図７（Ｃ）に示すように、金玉貯留空間３３ａの底面を構成する底板３１上を転動してベースタンクＢ１の長手方向の中央側（流入樋２０ｂが連通された樋部３１ａ側）へ誘導される。そして、主パチンコ島台Ａ３の下部タンク１３内に充分な金玉が貯留されている場合は、流入樋２０ｂを介したベースタンクＢ１の金玉貯留空間３３ａから主パチンコ島台Ａ３の下部タンク１３への金玉の補給が停止されることで、余剰の金玉がベースタンクＢ１の金玉貯留空間３３ａ内に貯留される。一方、主パチンコ島台Ａ３の下部タンク１３内に貯留される金玉が不足している場合は、ベースタンクＢ１の金玉貯留空間３３ａ内に貯留されている金玉が流入樋２０ｂを介して主パチンコ島台Ａ３の下部タンク１３に補給される。
【００４８】
ところで、上記したベースタンクＢ１の金玉貯留空間３３ａ及び銀玉貯留空間３３ｂにパチンコ玉を貯留する際、左右の貯留空間３３ａ，３３ｂ内で貯留するパチンコ玉の貯留量に大差が生じるような場合には、左右の貯留空間３３ａ，３３ｂ間でパチンコ玉による大きな圧力差が生じるものである。そして、このような大きな圧力差が生じた場合、左右の貯留空間３３ａ，３３ｂを分割する仕切板３４に破損が生じる虞がある。そこで、本実施形態では、ベースタンクＢ１側からベースタンクＢ２側への金玉の玉流れを調整するシャッター装置５２と、ベースタンクＢ２側からベースタンクＢ１側への金玉の玉流れを調整するシャッター装置５１と、を設け、これら各シャッター装置５１，５２を玉量制御基板５０によって開閉制御することで、大きな圧力差によって仕切板３４に破損が生じることを回避するようになっている。以下、玉量制御基板５０による各シャッター装置５１，５２の開閉制御について、図９乃至図１２を参照して説明する。
【００４９】
まず、図９に示す玉量制御処理において、玉量制御基板５０は、ベースタンクＢ１の金玉貯留空間３３ａ（図９及び図１０中には、第一金玉タンクと記載）内に貯留される金玉の貯留量レベルを把握すべく、玉量センサ５３ａ〜５３ｅからの検出信号を入力した後に（ステップＳ１）、ベースタンクＢ１の銀玉貯留空間３３ｂ（図９及び図１０中には、銀玉タンクと記載）内に貯留される銀玉の貯留量レベルを把握すべく、玉量センサ５４ａ〜５４ｅからの検出信号を入力し（ステップＳ２）、次いで、ベースタンクＢ２の玉貯留空間３３（図９及び図１０中には、第二金玉タンクと記載）内に貯留される金玉の貯留量レベルを把握すべく、玉量センサ５５ａ〜５５ｅからの検出信号を入力する（ステップＳ３）。その後、ステップＳ１で入力した金玉貯留空間３３ａ内の金玉の貯留量レベルとステップＳ２で入力した銀玉貯留空間３３ｂ内の銀玉の貯留量レベルとが同一であるか否かを判別する（ステップＳ４）。ステップＳ４で金玉貯留空間３３ａ内の金玉の貯留量レベルと銀玉貯留空間３３ｂ内の銀玉の貯留量レベルとが同一のときは、そのまま玉量制御処理を終了する。
【００５０】
一方、ステップＳ３で金玉貯留空間３３ａ内の金玉の貯留量レベルと銀玉貯留空間３３ｂ内の銀玉の貯留量レベルとが同一でないときは、図１０に示すように、ステップＳ１で入力した金玉貯留空間３３ａ内の金玉の貯留量レベルがステップＳ２で入力した銀玉貯留空間３３ｂ内の銀玉の貯留量レベルよりも小さいか否か、言い換えればベースタンクＢ１内で金玉の貯留量が銀玉の貯留量よりも少ないか否かを判別する（ステップＳ５）。ステップＳ５でベースタンクＢ１内で金玉の貯留量が銀玉の貯留量よりも少ないときは、ステップＳ３で入力したベースタンクＢ２内の金玉の貯留量レベルがレベル４以上であるか否かを判別する（ステップＳ６）。ステップＳ６でベースタンクＢ２内の金玉の貯留量レベルがレベル４よりも小さときは、ベースタンクＢ１の金玉貯留空間３３ａに金玉を補給できるだけ充分な量の金玉がベースタンクＢ２内に貯留されていないと判断して、ベースタンクＢ２側からベースタンクＢ１側への金玉の移送、及びベースタンクＢ１側からベースタンクＢ２側への金玉の移送を停止すべく両方のシャッター装置５１，５２（図１０中には全ＬＣと記載）を閉鎖制御した後（ステップＳ７ａ）、左右の貯留空間３３ａ，３３ｂの間の玉量の差を埋められない旨の信号をホール側のコンピューターに出力して（ステップＳ７ｂ）、玉量制御処理を終了する。
【００５１】
また、ステップＳ６でベースタンクＢ２内の金玉の貯留量レベルがレベル４以上のときは、ベースタンクＢ１の金玉貯留空間３３ａに金玉を補給できるだけ充分な量の金玉がベースタンクＢ２内に貯留されていると判断して、ベースタンクＢ１側からベースタンクＢ２側への金玉の移送を停止すべく玉移送経路７の上流端に設けられたシャッター装置５２（図１０中にはＬＣと記載）を閉鎖制御する共に（ステップＳ８ａ）、ベースタンクＢ２側からベースタンクＢ１側へ金玉を移送すべく玉移送経路６の上流端に設けられたシャッター装置５１（図１０中にはＬＣと記載）を開放制御する（ステップＳ８ｂ）。その後、金玉貯留空間３３ａ内の金玉の貯留量レベルと銀玉貯留空間３３ｂ内の銀玉の貯留量レベルとが同一であるか否かを判別する（ステップＳ９）。ステップＳ９で金玉貯留空間３３ａ内の金玉の貯留量レベルと銀玉貯留空間３３ｂ内の銀玉の貯留量レベルとが同一でないときは、金玉貯留空間３３ａ及び銀玉貯留空間３３ｂの各貯留量が均等ではなく左右の貯留空間３３ａ，３３ｂの間で圧力差が生じていると判断して、再度、ステップＳ５へ移行する。また、ステップＳ９で金玉貯留空間３３ａ内の金玉の貯留量レベルと銀玉貯留空間３３ｂ内の銀玉の貯留量レベルとが同一のときは、金玉貯留空間３３ａ及び銀玉貯留空間３３ｂの各貯留量が均等であり左右の貯留空間３３ａ，３３ｂの間で圧力差が生じていないと判断して、ベースタンクＢ２側からベースタンクＢ１側への金玉の移送、及びベースタンクＢ１側からベースタンクＢ２側への金玉の移送を停止すべく両方のシャッター装置５１，５２を閉鎖制御して（ステップＳ１０）、玉量制御処理を終了する。
【００５２】
一方、ステップＳ５でベースタンクＢ１内で金玉の貯留量が銀玉の貯留量よりも多いときは、ステップＳ３で入力したベースタンクＢ２内の金玉の貯留量レベルがレベル２未満であるか否かを判別する（ステップＳ１１）。ステップＳ１１でベースタンクＢ２内の金玉の貯留量レベルがレベル２以上のときは、ベースタンクＢ１の金玉貯留空間３３ａから移送される金玉を貯留できるだけ充分な空き空間がベースタンクＢ２にないと判断して、ベースタンクＢ２側からベースタンクＢ１側への金玉の移送、及びベースタンクＢ１側からベースタンクＢ２側への金玉の移送を停止すべく両方のシャッター装置５１，５２（図１０中には全ＬＣと記載）を閉鎖制御した後（ステップＳ１２ａ）、左右の貯留空間３３ａ，３３ｂの間の玉量の差を埋められない旨の信号をホール側のコンピューターに出力して（ステップＳ１２ｂ）、玉量制御処理を終了する。また、ステップＳ１１でベースタンクＢ２内の金玉の貯留量レベルがレベル２未満のときは、ベースタンクＢ１の金玉貯留空間３３ａから移送される金玉を貯留できるだけ充分な空き空間がベースタンクＢ２にあると判断して、ベースタンクＢ２側からベースタンクＢ１側へ金玉を移送すべく玉移送経路６の上流端に設けられたシャッター装置５１（図１０中にはＬＣと記載）を閉鎖制御すると共に（ステップＳ１３ａ）、ベースタンクＢ１側からベースタンクＢ２側へ金玉を移送すべく玉移送経路７の上流端に設けられたシャッター装置５２（図１０中にはＬＣと記載）を開放制御する（ステップＳ１３ｂ）。その後、ステップ９へ移行して、金玉貯留空間３３ａ内の金玉の貯留量レベルと銀玉貯留空間３３ｂ内の銀玉の貯留量レベルとが同一であるか否かを判別する。ステップＳ９で金玉貯留空間３３ａ内の金玉の貯留量レベルと銀玉貯留空間３３ｂ内の銀玉の貯留量レベルとが同一でないときは、金玉貯留空間３３ａ及び銀玉貯留空間３３ｂの各貯留量が均等ではなく左右の貯留空間３３ａ，３３ｂの間で圧力差が生じていると判断して、再度、ステップＳ５へ移行する。一方、ステップＳ９で金玉貯留空間３３ａ内の金玉の貯留量レベルと銀玉貯留空間３３ｂ内の銀玉の貯留量レベルとが同一のときは、金玉貯留空間３３ａ及び銀玉貯留空間３３ｂの各貯留量が均等であり左右の貯留空間３３ａ，３３ｂの間で圧力差が生じていないと判断して、ベースタンクＢ２側からベースタンクＢ１側への金玉の移送、及びベースタンクＢ１側からベースタンクＢ２側への金玉の移送を停止すべく両方のシャッター装置５１，５２（図１０中には全ＬＣと記載）を閉鎖制御して（ステップＳ１０）、玉量制御処理を終了する。
【００５３】
次に、各シャッター装置５１，５２の具体的な開閉制御の一例について、図１１及び図１２を参照して説明する。まず、ベースタンクＢ１側からベースタンクＢ２側へ金玉を移送するシャッター装置５２の開閉制御において、図１１（Ａ）に示すように、ベースタンクＢ１の金玉貯留空間３３ａに設けられた５つの玉量センサ５３ａ〜５３ｅのうち下から３つ目までの玉量センサ５３ａ〜５３ｃが金玉を検出することで、金玉貯留空間３３ａ内の金玉の貯留量レベルがレベル３として検出される一方、ベースタンクＢ１の銀玉貯留空間３３ｂに設けられた５つの玉量センサ５４ａ〜５４ｅのうち下から３つ目までの玉量センサ５４ａ〜５４ｃが銀玉を検出することで、銀玉貯留空間３３ｂ内の銀玉の貯留量レベルが金玉貯留空間３３ａ内の金玉の貯留量レベルと同じレベル３として検出されると、これに基づき、金玉貯留空間３３ａ及び銀玉貯留空間３３ｂの各貯留量が均等であり左右の貯留空間３３ａ，３３ｂの間で圧力差が生じていないと判断する。そして、ベースタンクＢ１側からベースタンクＢ２側へ金玉を移送する必要がないことからシャッター装置５２は閉鎖制御（ＯＦＦ）される。また、このとき、シャッター装置５１についても同様に、ベースタンクＢ２側からベースタンクＢ１側へ金玉を移送する必要がないことから閉鎖制御（ＯＦＦ）される。
【００５４】
また、図１１（Ｂ）に示すように、ベースタンクＢ１の金玉貯留空間３３ａに設けられた５つの玉量センサ５３ａ〜５３ｅのうち下から３つ目までの玉量センサ５３ａ〜５３ｃが金玉を検出することで、金玉貯留空間３３ａ内の金玉の貯留量レベルがレベル３として検出される一方、ベースタンクＢ１の銀玉貯留空間３３ｂに設けられた５つの玉量センサ５４ａ〜５４ｅのうち下から２つ目までの玉量センサ５４ａ，５４ｂが銀玉を検出することで、銀玉貯留空間３３ｂ内の銀玉の貯留量レベルが金玉貯留空間３３ａ内の金玉の貯留量レベルよりも低いレベル２として検出されると、これに基づき、金玉貯留空間３３ａ及び銀玉貯留空間３３ｂの各貯留量の均衡が崩れて左右の貯留空間３３ａ，３３ｂの間で圧力差が生じていると判断する。そして、ベースタンクＢ２の玉貯留空間３３に設けられた５つの玉量センサ５５ａ〜５５ｅのうち下から１つ目の玉量センサ５５ａだけが金玉を検出することで、ベースタンクＢ２内の金玉の貯留量レベルがレベル１として検出されると、これに基づき、ベースタンクＢ１の金玉貯留空間３３ａから移送される金玉を貯留できるだけ充分な空き空間がベースタンクＢ２にあると判断して、ベースタンクＢ１側からベースタンクＢ２側へ金玉を移送するように、シャッター装置５２が開放制御（ＯＮ）される。また、このとき、シャッター装置５１については、ベースタンクＢ２側からベースタンクＢ１側へ金玉を移送する必要がないことから閉鎖制御（ＯＦＦ）される。なお、金玉貯留空間３３ａ及び銀玉貯留空間３３ｂの各貯留量が均等となり左右の貯留空間３３ａ，３３ｂの間で圧力差が生じなくなった時点で、シャッター装置５２が閉鎖制御（ＯＦＦ）されて、ベースタンクＢ１側からベースタンクＢ２側への金玉の移送が停止される。
【００５５】
但し、図１１（Ｃ）に示すように、金玉貯留空間３３ａ内の金玉の貯留量レベルがレベル３として検出される一方、銀玉貯留空間３３ｂ内の銀玉の貯留量レベルが金玉貯留空間３３ａ内の金玉の貯留量レベルよりも低いレベル２として検出されて、左右の貯留空間３３ａ，３３ｂの間で圧力差が生じていると判断した場合でも、ベースタンクＢ２の玉貯留空間３３に設けられた５つの玉量センサ５５ａ〜５５ｅ全てが金玉を検出してベースタンクＢ２内の金玉の貯留量レベルがレベル５として検出されると、ベースタンクＢ１の金玉貯留空間３３ａから移送される金玉を貯留できるだけ充分な空き空間がベースタンクＢ２にないと判断する。これにより、シャッター装置５２は閉鎖制御（ＯＦＦ）されて、ベースタンクＢ１側からベースタンクＢ２側への金玉の移送は行われない。
【００５６】
次に、ベースタンクＢ２側からベースタンクＢ１側へ金玉を移送するシャッター装置５１の開閉制御において、図１２（Ａ）に示すように、ベースタンクＢ１の金玉貯留空間３３ａに設けられた５つの玉量センサ５３ａ〜５３ｅのうち下から３つ目までの玉量センサ５３ａ〜５３ｃが金玉を検出することで、金玉貯留空間３３ａ内の金玉の貯留量レベルがレベル３として検出される一方、ベースタンクＢ１の銀玉貯留空間３３ｂに設けられた５つの玉量センサ５４ａ〜５４ｅのうち下から３つ目までの玉量センサ５４ａ〜５４ｃが銀玉を検出することで、銀玉貯留空間３３ｂ内の銀玉の貯留量レベルが金玉貯留空間３３ａ内の金玉の貯留量レベルと同じレベル３として検出されると、これに基づき、金玉貯留空間３３ａ及び銀玉貯留空間３３ｂの各貯留量が均等であり左右の貯留空間３３ａ，３３ｂの間で圧力差が生じていないと判断する。そして、ベースタンクＢ２側からベースタンクＢ１側へ金玉を移送する必要がないことからシャッター装置５１は閉鎖制御（ＯＦＦ）される。また、このとき、シャッター装置５２についても同様に、ベースタンクＢ１側からベースタンクＢ２側へ金玉を移送する必要がないことから閉鎖制御（ＯＦＦ）される。
【００５７】
また、図１２（Ｂ）に示すように、ベースタンクＢ１の金玉貯留空間３３ａに設けられた５つの玉量センサ５３ａ〜５３ｅのうち下から２つ目までの玉量センサ５３ａ，５３ｂが金玉を検出することで、金玉貯留空間３３ａ内の金玉の貯留量レベルがレベル２として検出される一方、ベースタンクＢ１の銀玉貯留空間３３ｂに設けられた５つの玉量センサ５４ａ〜５４ｅのうち下から３つ目までの玉量センサ５４ａ〜５４ｃが銀玉を検出することで、銀玉貯留空間３３ｂ内の銀玉の貯留量レベルが金玉貯留空間３３ａ内の金玉の貯留量レベルよりも高いレベル３として検出されると、これに基づき、金玉貯留空間３３ａ及び銀玉貯留空間３３ｂの各貯留量の均衡が崩れて左右の貯留空間３３ａ，３３ｂの間で圧力差が生じていると判断する。そして、ベースタンクＢ２の玉貯留空間３３に設けられた５つの玉量センサ５５ａ〜５５ｅのうち下から４つ目までの玉量センサ５５ａ〜５５ｄが金玉を検出することで、ベースタンクＢ２内の金玉の貯留量レベルがレベル４として検出されると、これに基づき、ベースタンクＢ１の金玉貯留空間３３ａに金玉を補給できるだけ充分な量の金玉がベースタンクＢ２内に貯留されていると判断して、ベースタンクＢ２側からベースタンクＢ１側へ金玉を移送するように、シャッター装置５１が開放制御（ＯＮ）される。また、このとき、シャッター装置５２については、ベースタンクＢ１側からベースタンクＢ２側へ金玉を移送する必要がないことから閉鎖制御（ＯＦＦ）される。なお、金玉貯留空間３３ａ及び銀玉貯留空間３３ｂの各貯留量が均等となり左右の貯留空間３３ａ，３３ｂの間で圧力差が生じなくなった時点で、シャッター装置５１が閉鎖制御（ＯＦＦ）されて、ベースタンクＢ２側からベースタンクＢ１側への金玉の移送が停止される。
【００５８】
但し、図１２（Ｃ）に示すように、金玉貯留空間３３ａ内の金玉の貯留量レベルがレベル２として検出される一方、銀玉貯留空間３３ｂ内の銀玉の貯留量レベルが金玉貯留空間３３ａ内の金玉の貯留量レベルよりも高いレベル３として検出されて、左右の貯留空間３３ａ，３３ｂの間で圧力差が生じていると判断した場合でも、ベースタンクＢ２の玉貯留空間３３に設けられた５つの玉量センサ５５ａ〜５５ｅのうち下から１つ目の玉量センサ５５ａだけが金玉を検出してベースタンクＢ２内の金玉の貯留量レベルがレベル１として検出されると、ベースタンクＢ１の金玉貯留空間３３ａに金玉を補給できるだけ充分な量の金玉がベースタンクＢ２内に貯留されていないと判断する。これにより、シャッター装置５１は閉鎖制御（ＯＦＦ）されて、ベースタンクＢ２側からベースタンクＢ１側への金玉の移送は行われない。
【００５９】
以上のように、本実施形態の構成によれば、第一の島台ブロックを構成する主パチンコ島台Ａ２（第一の主パチンコ島台）と、第二の島台ブロックを構成する主パチンコ島台Ａ３（第二の主パチンコ島台）との間に配置されるベースタンクＢ１（第一のベースタンク）の玉貯留空間３３内に仕切板３４を設けることで、当該玉貯留空間３３を、第一の島台ブロックで使用される銀玉（第一のパチンコ玉）を貯留する銀玉貯留空間３３ｂ（第一の玉貯留空間）と、第二の島台ブロックで使用される金玉（第二のパチンコ玉）を貯留する金玉貯留空間３３ａ（第二の玉貯留空間）と、に分割する。そして、銀玉貯留空間３３ｂに貯留された銀玉は、流入樋２０ａ（第一の流入樋）を介して主パチンコ島台Ａ２の下部タンク１３（第一の下部タンク）に供給されると共に、該下部タンク１３から交流樋３ｂ（第一の供給樋）を介して第一の島台ブロックを構成する従パチンコ島台Ａ１（第一の従パチンコ島台）に供給される。その後、主パチンコ島台Ａ２又は従パチンコ島台Ａ１で溢れた銀玉は、主パチンコ島台Ａ２の上部タンク２２（第一の上部タンク）から返却樋４（第一の返却樋）を介してベースタンクＢ１の銀玉貯留空間３３ｂに返却される。同様に、金玉貯留空間３３ａに貯留された金玉は、流入樋２０ｂ（第二の流入樋）を介して主パチンコ島台Ａ３の下部タンク１３（第二の下部タンク）に供給されると共に、該下部タンク１３から交流樋３ｃ（第二の供給樋）を介して第二の島台ブロックを構成する従パチンコ島台Ａ４（第二の従パチンコ島台）に供給される。その後、主パチンコ島台Ａ３又は従パチンコ島台Ａ４で溢れた金玉は、主パチンコ島台Ａ３の上部タンク２２（第二の上部タンク）から返却樋４（第二の返却樋）を介してベースタンクＢ１の金玉貯留空間３３ａに返却される。これにより、既存の島交流式玉移送装置に対して大掛かりな改造を施すことなく、既存のベースタンクＢ１に仕切板３４を設けるという簡単な改造を施すだけで、２種類のパチンコ玉（金玉と銀玉）を混在させることなく個々に循環使用する島交流式玉移送装置を低コストで実現できる。
【００６０】
また、本実施形態の構成によれば、ベースタンクＢ１の金玉貯留空間３３ａ内に貯留されている金玉の貯留量と、ベースタンクＢ１の銀玉貯留空間３３ｂ内に貯留されている銀玉の貯留量とを比較する。そして、パチンコ玉の圧力が仕切板３４にかかると当該仕切板３４が破損する虞のある所定の貯留量以上の差があるときは、金玉貯留空間３３ａ内の金玉の貯留量と、銀玉貯留空間３３ｂ内の銀玉の貯留量とがほぼ同一となるように、ベースタンクＢ１の金玉貯留空間３３ａ側とベースタンクＢ２側（第二のベースタンク）との間で金玉をやり取りする制御を行う。これにより、金玉貯留空間３３ａに貯留された金玉が仕切板３４を押圧する圧力と、銀玉貯留空間３３ｂに貯留された銀玉が仕切板３４を押圧する圧力とをほぼ同等にして、左右の貯留空間３３ａ，３３ｂ間で殆ど圧力差が生じないようにすることができる。また、パチンコ玉の圧力が仕切板３４にかかっても当該仕切板３４が破損することのない程度の量に所定の貯留量を設定している。従って、金玉貯留空間３３ａ及び銀玉貯留空間３３ｂ内に貯留されるパチンコ玉の圧力によって仕切板３４が破損することを回避することができる。
【００６１】
更に、長手方向の両端からそれぞれ中央に向って下り傾斜する底面３１，３２を有して直方体状の玉貯留空間３３が形成されたベースタンクＢ１に対して、ベースタンクＢ１の長手方向のほぼ中央に仕切板３４を取り付けることで、ベースタンクＢ１の中央傾斜底面に形成された樋部３２ａ（第一の樋部）及び樋部３１ａ（第二の樋部）が個々に連通する銀玉貯留空間３３ｂと金玉貯留空間３３ａとに左右２分割している。これにより、金玉貯留空間３３ａ及び銀玉貯留空間３３ｂを長細い空間とすることなく２分割できるので、銀玉貯留空間３３ｂ内での銀玉の玉流れ、及び金玉貯留空間３３ａ内での金玉の玉流れに支障を来たすことなくスムーズにパチンコ玉を循環使用することができる。なお、長細い玉貯留空間とした場合では、玉貯留空間３３内のパチンコ玉を中央の樋部３１ａ，３２ａに転動する傾斜状の底面３１，３２の幅寸法が、パチンコ玉を転動する上で最適に設計された値よりも大幅に縮小されることになり、底面３１，３２上でのパチンコ玉の玉流れに支障を来たす虞がある。
【００６２】
なお、上記した実施形態では、パチンコ島台Ａ１〜Ａ６，Ａ７〜を列設して主パチンコ島台Ａ２，Ａ３間に２種類のパチンコ玉（金玉と銀玉）を貯留可能なベースタンクＢ１を１つ設けると共に、各パチンコ島台Ａ６，Ａ７間に１種類のパチンコ玉（金玉）専用のベースタンクＢ２を１つ設けたものを示したが、列設されるパチンコ島台及びベースタンクの数は、実施形態中の構成に限定するものではない。但し、ベースタンクを挟む左右の主パチンコ島台でそれぞれ使用するパチンコ玉の種類が同一となる場合には、当該ベースタンクに本発明に係る仕切板を設ける必要はなく（玉貯留空間を第一及び第二の玉貯留空間に２分割する必要はなく）、ベースタンクを挟む左右の主パチンコ島台でそれぞれ使用するパチンコ玉の種類が異なる場合には、本発明に係る仕切板によって当該ベースタンクの玉貯留空間を第一及び第二の玉貯留空間に２分割する必要がある。
【００６３】
また、本実施形態では、パチンコ玉の貯留量を段階的に検出できるように玉貯留量検出手段として玉量センサを配置したが、玉貯留量検出手段は、貯留量を検出できるものであればいずれの構成であってもよい。例えば、玉貯留空間に複数の玉量センサを設け、玉量センサの総数とパチンコ玉を検出した玉量センサの数との割合によって貯留量を検出できるものであってもよい。
【００６４】
また、本実施形態では、玉量センサの検出結果と対応して貯留量レベルを設定しているが、玉量センサの検出結果に基づいて貯留量レベルを設定できるようなものであればよい。例えば、玉量センサを段階的に５個設けた場合、下から１又は２個目までがパチンコ玉を検出したときを貯留量レベル１と設定し、下から３個目までがパチンコ玉を検出したときを貯留量レベル２と設定し、下から４又は５個目までがパチンコ玉を検出したときを貯留量レベル３と設定するようなものでもよい。
【００６５】
また、本実施形態では、貯留量レベルが相違している状態を玉移送制御の開始条件としているが、これに限らず、貯留量レベルが複数段階で相違することを玉移送制御の開始条件としてもよい。
【符号の説明】
【００６６】
Ａ１  パチンコ島台（第一の従パチンコ島台）
Ａ２  パチンコ島台（第一の主パチンコ島台）
Ａ３  パチンコ島台（第二の主パチンコ島台）
Ａ４  パチンコ島台（第二の従パチンコ島台）
Ｂ１  ベースタンク（第一のベースタンク）
Ｂ２  ベースタンク（第二のベースタンク）
３ａ，３ｄ〜３ｈ  交流樋
３ｂ  交流樋（第一の供給樋）
３ｃ  交流樋（第二の供給樋）
４  返却樋
５  玉返却装置
６，７  玉移送経路
１０  パチンコ機
１２  アウト玉回収樋
１３  下部タンク
２０ａ  流入樋（第一の流入樋）
２０ｂ  流入樋（第二の流入樋）
２１  玉揚送装置
２２  上部タンク
２３  補給樋
２４  玉貸機
３１，３２  底面
３１ａ  樋部（第二の樋部）
３２ａ  樋部（第一の樋部）
３３  玉貯留空間
３３ａ  金玉貯留空間（第二の玉貯留空間）
３３ｂ  銀玉貯留空間（第一の玉貯留空間）
３４  仕切板
５０  玉量制御基板（玉量比較判定手段、玉移送制御手段）
５１，５２  シャッター装置（玉移送制御手段）
５３ａ〜５３ｅ  玉量センサ（第二の玉貯留量検出手段）
５４ａ〜５４ｅ  玉量センサ（第一の玉貯留量検出手段）
５５ａ〜５５ｅ  玉量センサ
【図１】
2010252935.tif 000003
【図２】
2010252935.tif 000004
【図３】
2010252935.tif 000005
【図４】
2010252935.tif 000006
【図５】
2010252935.tif 000007
【図６】
2010252935.tif 000008
【図７】
2010252935.tif 000009
【図８】
2010252935.tif 000010
【図９】
2010252935.tif 000011
【図１０】
2010252935.tif 000012
【図１１】
2010252935.tif 000013
【図１２】
2010252935.tif 000014
【図１３】
2010252935.tif 000015